(57)【特許請求の範囲】
【請求項１】
ベースと、
該ベースのレンズ光軸方向前側に固定された筒部を備えたケースと、
レンズを備え、前記筒部の内側にレンズ光軸方向に変位可能に配置された移動体と、
該移動体と前記筒部との間に設けられ、前記移動体を前記ケースに対してレンズ光軸方向に磁気駆動する磁気駆動機構と、
を有するレンズ駆動装置において、
前記ベースは、前記筒部より外側に突き出て当該筒部の外面に沿ってレンズ光軸方向前側に延在した突起を備え、
当該突起の前記筒部の外面と対向する部分は、前記筒部の外面と前記突起との間隔をレンズ光軸方向後側よりレンズ光軸方向前側で広くするテーパ面を有し、
前記突起は、前記ベースからレンズ光軸方向に直交する方向に延在して前記筒部より外側に突き出た胴部と、該胴部の外端から前記筒部の外面に沿ってレンズ光軸方向前側に延在する頭部と、を備え、
前記頭部の前記筒部の外面と対向する部分には、前記胴部の最も光軸方向前側に位置する部分から前記頭部の最も光軸方向前側に位置する部分まで前記テーパ面が形成され、
前記筒部から前記突起が突出している部分では、当該筒部のレンズ光軸方向後側の縁と前記ベースとの間に封止材が設けられていることを特徴とするレンズ駆動装置。
【請求項２】
前記胴部のレンズ光軸方向前側に向く面は、当該胴部の突出方向に直交する幅方向の両側が円弧面またはテーパ面になっていることを特徴とする請求項１に記載のレンズ駆動装置。
【請求項３】
前記筒部のレンズ光軸方向後側の縁には、前記突起が突出する切り欠きが形成されていることを特徴とする請求項１または２に記載のレンズ駆動装置。
【請求項４】
前記切り欠きの形状は、前記突起において前記切り欠き内に位置する部分の形状と同一または略同一であることを特徴とする請求項３に記載のレンズ駆動装置。
【請求項５】
前記切り欠きの内縁は、前記突起から離間して延在していることを特徴とする請求項３または４に記載のレンズ駆動装置。
【請求項６】
前記封止材は、前記筒部のレンズ光軸方向後側の縁と前記突起の双方に跨って設けられていることを特徴とする請求項１乃至５の何れか一項に記載のレンズ駆動装置。
【請求項７】
前記ベースのレンズ光軸方向前側の面には、前記筒部を間に挟んで前記突起と対向する壁部が設けられ、
前記壁部の光軸方向前側の端部は、前記突起の光軸方向前側の端部と光軸方向で同一の位置または前側に位置することを特徴とする請求項１乃至６の何れか一項に記載のレンズ駆動装置。
【請求項８】
前記壁部は、前記筒部の内面に沿って全周または略全周にわたって形成されており、
前記壁部の外面と前記筒部の内面とは接着剤によって接合されていることを特徴とする請求項７に記載のレンズ駆動装置。
【請求項９】
前記ベースは、前記突起を含めて一体の樹脂成形品からなることを特徴とする請求項１乃至８の何れか一項に記載のレンズ駆動装置。
【発明の詳細な説明】
【技術分野】
【０００１】
本発明は、レンズを備えた移動体や磁気駆動機構がケースの内側に設けられたレンズ駆動装置に関するものである。
【背景技術】
【０００２】
カメラ付き携帯電話機やデジタルカメラ等に搭載されるレンズ駆動装置は、撮像素子等を保持するベースと、ベースのレンズ光軸方向前側に固定された筒状あるいは箱形形状のケースとを備えており、ケースの内側にレンズを備えた移動体や磁気駆動機構が設けられている。かかるレンズ駆動装置をカメラ付き携帯電話機やデジタルカメラ等の機器に搭載するにあたって、機器側にソケット状の穴を設けておき、穴にレンズ駆動装置を装着する方式が採用されることがある。その際、ケースの筒部より外側に突き出て筒部の外面に沿ってレンズ光軸方向前側に延在した突起をベースに設けておけば、レンズ駆動装置を装着する際の向きや位置を規制するガイドとして突起を利用することができる（特許文献１参照）。
【先行技術文献】
【特許文献】
【０００３】
【特許文献１】特開２００８−１１２２００号公報
【発明の概要】
【発明が解決しようとする課題】
【０００４】
レンズ駆動装置では、ベースとケースとの間から内部に異物が侵入して撮像素子等の光学素子に付着すると、撮影画像の品位が低下してしまう。そこで、ベースとケースとを固定する際、ベースに接着剤を塗布しておき、ベースとケースとの隙間を接着剤によって封止することが好ましい。しかしながら、特許文献１に記載の構成のように、ベースに突起を設けると、ベースにケースを固定する前であっても、突起が邪魔になって、突起が形成されている部分ではベースに接着剤を塗布するのが困難である。また、ベースにケースを固定した後、突起とケースとに挟まれた個所にニードルを進入させ、ニードルから封止材を塗布する方法もあるが、このような方法を行おうとしても、突起とケースとの間には極めて狭い隙間しか存在しないため、ニードルを突起とケースとの間に進入させることが困難である。
【０００５】
以上の問題点に鑑みて、本発明の課題は、ケースの外面に沿うように延在する突起をベースに設けた場合でも、突起とケースとに挟まれた個所に封止材を容易かつ確実に塗布することのできるレンズ駆動装置を提供することにある。
【課題を解決するための手段】
【０００６】
上記課題を解決するために、本発明では、ベースと、該ベースのレンズ光軸方向前側に固定された筒部を備えたケースと、レンズを備え、前記筒部の内側にレンズ光軸方向に変位可能に配置された移動体と、該移動体と前記筒部との間に設けられ、前記移動体を前記ケースに対してレンズ光軸方向に磁気駆動する磁気駆動機構と、を有するレンズ駆動装置において、前記ベースは、前記筒部より外側に突き出て当該筒部の外面に沿ってレンズ光軸方向前側に延在した突起を備え、当該突起の前記筒部の外面と対向する部分は、前記筒部の外面と前記突起との間隔をレンズ光軸方向後側よりレンズ光軸方向前側で広くするテーパ面を有し、前記突起は、前記ベースからレンズ光軸方向に直交する方向に延在して前記筒部より外側に突き出た胴部と、該胴部の外端から前記筒部の外面に沿ってレンズ光軸方向前側に延在する頭部と、を備え、前記頭部の前記筒部の外面と対向する部分には、前記胴部の最も光軸方向前側に位置する部分から前記頭部の最も光軸方向前側に位置する部分まで前記テーパ面が形成され、前記筒部から前記突起が突出している部分では、当該筒部のレンズ光軸方向後側の縁と前記ベースとの間に封止材が設けられていることを特徴とする。
【０００７】
本発明では、ケースの筒部の外面に沿うように延在する突起をベースに設けた場合でも、突起において筒部の外面と対向する部分は、筒部の外面と突起との間隔をレンズ光軸方向後側よりレンズ光軸方向前側で広くする形状を有している。このため、ベースにケースを固定した後でも、筒部の外面と突起との間隔がレンズ光軸方向前側で広いので、筒部から突起が突出している部分において、筒部のレンズ光軸方向後側の縁とベースとの間に封止材を容易かつ確実に塗布することができる。
【０００８】
本発明において、前記突起の前記筒部の外面と対向する部分には、前記筒部の外面と前記突起との間隔をレンズ光軸方向後側よりレンズ光軸方向前側で広くするテーパ面が形成されている。突起に対するテーパ面の形成によって筒部の外面と突起との間隔をレンズ光軸方向後側よりレンズ光軸方向前側で広くした構成であれば、突起の根元部分では突起が太い。従って、突起の強度が低下することがない。それ故、機器側に設けたソケット状の穴にレンズ駆動装置を装着する際に突起を向きや位置を規制するガイドとして用いても、突起が破損することがない。
【００１０】
この場合、前記胴部のレンズ光軸方向前側に向く面は、当該胴部の突出方向および光軸方向に直交する幅方向の両側が円弧面またはテーパ面になっていることが好ましい。
【００１１】
本発明において、前記筒部のレンズ光軸方向後側の縁には、前記突起が突出する切り欠きが形成されていることが好ましい。かかる構成によれば、切り欠きが形成されている以外の領域では、筒部のレンズ光軸方向後側の端部とベースとが重なるので、ベースにケースを固定する際、ベースとケースとを接着剤で固定することができるとともに、かかる接着剤によって、ベースとケースと隙間を封止することができる。
【００１２】
本発明において、前記切り欠きの形状は、前記突起において前記切り欠き内に位置する部分の形状と同一または略同一であることが好ましい。かかる構成によれば、切り欠きと突起との間の隙間を狭くすることができるので、封止材によって封止する必要のある領域が狭く済む。
【００１３】
本発明において、前記切り欠きの内縁は、前記突起から離間して延在していることが好ましい。かかる構成によれば、切り欠きの内縁が突起に当接しないので、ケースをベースに確実に重ねることができる。
【００１４】
本発明において、前記封止材は、前記突起が形成されている個所では、前記筒部のレンズ光軸方向後側の縁と前記ベースのうち、前記突起が形成されていない部分との間に設けられている構成、および前記筒部のレンズ光軸方向後側の縁と前記ベースの前記突起との間に設けられている構成のいずれであってもよい。後者の場合、前記封止材は、前記筒部のレンズ光軸方向後側の縁と前記突起の双方に跨って設けられている構成となる。
【００１５】
本発明において、前記ベースのレンズ光軸方向前側の面には、前記筒部を間に挟んで前記突起と対向する壁部が設けられ、前記壁部の光軸方向前側の端部は、前記突起の光軸方向前側の端部と光軸方向で同一の位置または前側に位置することが好ましい。かかる構成によれば、封止材が移動体等に付着しない等の利点がある。
【００１６】
本発明において、前記壁部は、前記筒部の内面に沿って全周または略全周にわたって形成されており、前記壁部の外面と前記筒部の内面とは接着剤によって接合されていることが好ましい。かかる構成によれば、ベースにケースを固定する際、ベースとケースとを接着剤で固定することができるとともに、かかる接着剤によって、ベースとケースと隙間を封止することができる。
【００１７】
本発明において、前記ベースは、前記突起を含めて一体の樹脂成形品からなることが好ましい。樹脂成形品であれば、突起を任意の形状に形成することができるとともに、突起を備えたベースを安価に製造することができる。
【発明の効果】
【００１８】
本発明を適用したレンズ駆動装置では、ケースの筒部の外面に沿うように延在する突起をベースに設けた場合でも、突起において筒部の外面と対向する部分は、筒部の外面と突起との間隔をレンズ光軸方向後側よりレンズ光軸方向前側で広くする形状を有している。このため、ベースにケースを固定した後でも、筒部の外面と突起との間隔がレンズ光軸方向前側で広いので、筒部から突起が突出している部分において筒部のレンズ光軸方向後側の縁とベースとの間に封止材を容易かつ確実に塗布することができる。それ故、突起が形成されている部分であっても、ケースとベースとの間から異物が侵入することを防止することができる。
【図面の簡単な説明】
【００１９】
【図１】本発明を適用したレンズ駆動装置の全体構成を示す説明図である。
【図２】本発明を適用したレンズ駆動装置をさらに細かく分解した分解斜視図である。
【図３】本発明を適用したレンズ駆動装置をＸＺ面で切断した様子を示す縦断面図である。
【図４】本発明を適用したレンズ駆動装置に用いたベース等の説明図である。
【図５】本発明を適用したレンズ駆動装置のベースに形成した突起の説明図である。
【図６】本発明を適用したレンズ駆動装置の製造工程で封止材を塗布する様子の説明図である。
【発明を実施するための形態】
【００２０】
以下、本発明を実施するための形態について、図面を参照しながら説明する。なお、以下の説明においては、レンズ光軸方向を単に「光軸方向」として説明する。また、以下の説明においては、光軸Ｌの方向をＺ軸方向とし、Ｚ軸方向に直交する方向をＸ軸方向とし、Ｘ軸方向およびＺ軸方向に直交する方向をＹ軸方向とする。また、Ｘ軸方向の一方側をＸ１側とし、他方側をＸ２側とし、Ｙ軸方向の一方側をＹ１側とし、他方側をＹ２側とし、Ｚ軸方向の一方側（光軸方向後側／像側）をＺ１側とし、他方側（光軸方向前側／被写体側）をＺ２側として表してある。また、以下に説明するレンズ駆動装置は、カメラ付き携帯電話機の他にも、様々な電子機器に取り付けることが可能である。例えば、薄型のデジタルカメラ、ＰＨＳ、ＰＤＡ、バーコードリーダ、監視カメラ、車の背後確認用カメラ、光学的認証機能を有するドア等に用いることができる。
【００２１】
（レンズ駆動装置の全体構成）
図１は、本発明を適用したレンズ駆動装置の全体構成を示す説明図であり、図１（ａ）、（ｂ）は各々、本発明を適用したレンズ駆動装置を光軸方向前側（被写体側）の斜め方向からみた外観図、および光軸方向前側の斜め方向からみた分解斜視図である。図２は、本発明を適用したレンズ駆動装置をさらに細かく分解した分解斜視図であり、図２（ａ）、（ｂ）は、レンズ駆動装置を光軸方向前側の斜め方向からみた分解斜視図、および移動体を光軸方向前側の斜め方向からみた分解斜視図である。図３は、本発明を適用したレンズ駆動装置をＸＺ面で切断した様子を示す縦断面図であり、図３（ａ）、（ｂ）は、レンズ駆動装置の断面図、およびレンズ駆動装置をベースと他の部材とに分解したときの断面図である。図４は、本発明を適用したレンズ駆動装置に用いたベース等の説明図であり、図４（ａ）、（ｂ）、（ｃ）、（ｄ）は、ベースにヨークを固定した様子を光軸方向前側（被写体側）の斜め方向からみた斜視図、ベースにヨークを固定する前の様子を光軸方向前側（被写体側）の斜め方向からみた斜視図、ベースにヨークを固定した様子を光軸方向前側（被写体側）の別の斜め方向からみた斜視図、ベースにヨークを固定する前の様子を光軸方向前側（被写体側）の別の斜め方向からみた斜視図である。なお、図１（ｂ）、図２および図３では、レンズを含めてレンズホルダの全体を省略してある。
【００２２】
図１、図２および図３において、本形態のレンズ駆動装置１は、カメラ付き携帯電話機等に用いられる薄型カメラにおいてレンズ４を光軸Ｌ方向に沿って被写体（物体側／光軸方向前側）に近づくＡ方向、および被写体とは反対側のＢ方向（光軸方向後側）の双方向に移動させるためのものであり、略直方体形状を有している。レンズ駆動装置１は、概ね、レンズ４を備えた移動体３と、移動体３の周りを囲む支持体２と、磁気駆動機構５とを有している。
【００２３】
（支持体２の構成）
本形態のレンズ駆動装置１において、支持体２は、光軸方向後側で撮像素子やＩＲフィルタを保持するためのベース１９と、ベース１９に対して光軸方向前側に配置されたヨーク１８（ケース）と、ヨーク１８の前板部１８５を光軸方向前側で覆うカバー１７と、カバー１７とヨーク１８との間に介在する四角枠状のシール部材１６とを備えている。ベース１９の中央には、撮像素子に対する光路や撮像素子を配置するスペースを確保する円形の開口部１９０が形成されており、かかる開口部１９０は、ベース１９を光軸方向で貫通している。カバー１７の前板部１７５には開口部１７０が形成され、ヨーク１８の前板部１８５にも開口部１８０が形成されている。従って、被写体からの光は、開口部１７０、１８０を介してレンズ４に入射した後、撮像素子に入射する。
【００２４】
レンズ駆動装置１において、ヨーク１８は、磁性板を箱形状や筒形状に加工した部材であり、レンズ駆動装置１のケースとして用いられている。本形態において、ヨーク１８は箱形状を有しているため、ヨーク１８は、前板部１８５と、前板部１８５の外周縁から光軸方向後側に向けて延在する筒部１８６とを備えている。本形態において、前板部１８５は四角形であり、筒部１８６は四角筒状である。従って、筒部１８６は、４つの側板部１８１、１８２、１８３、１８４を備えている。
【００２５】
カバー１７において、前板部１７５は四角形であり、前板部１７５の外縁から光軸方向後側に向けて突出した４つの側板部１７１、１７２、１７３、１７４を備えている。カバー１７において、Ｙ方向で対向する側板部１７３、１７４には、光軸方向後側に突出した連結板部１７８がＸ軸方向の両端部の各々に形成されている。従って、カバー１７をヨーク１８に重ねた際、連結板部１７８は、ヨーク１８の側板部１８３、１８４の外面に重なるので、接着や溶接によって、カバー１７とヨーク１８とを連結することができる。その際、カバー１７の前板部１７５とヨーク１８の前板部１８５との間には四角枠状のシール部材１６が配置される。本形態において、シール部材１６はゴム製である。また、カバー１７とヨーク１８とを連結した状態でカバー１７の前板部１７５とヨーク１８の前板部１８５との間には空間が形成され、かかる空間には、後述する第２バネ部材６２が配置される。
【００２６】
図２、図３および図４に示すように、ベース１９は、開口部１９０が中央に形成された矩形の底板部１９５を有しており、かかる底板部１９５の側面には端子１４ａ、１４ｂが保持されている。ベース１９の底板部１９５では、４つの辺の各々に光軸方向前側に向けて突出した板状部１９１、１９２、１９３、１９４が形成されている。ここで、板状部１９１、１９２、１９３、１９４は、底板部１９５の外縁からわずか内側位置で光軸方向前側に向けて突出している。このため、底板部１９５には、板状部１９１、１９２、１９３、１９４の外側に、光軸方向前側に向いた段部１９１ａ、１９２ａ、１９３ａ、１９４ａが形成されている。従って、ベース１９の底板部１９５にヨーク１８の筒部１８６を重ねると、ヨーク１８の筒部１８６（側板部１８１、１８２、１８３、１８４）の光軸方向後側の縁が段部１９１ａ、１９２ａ、１９３ａ、１９４ａで支持される。本形態において、板状部１９１、１９２は、底板部１９５の辺部分では、底板部１９５の外縁に近い位置に形成され、底板部１９５の角部分では、底板部１９５の外縁から大きく離間した位置に形成されている。このため、段部１９１ａ、１９２ａの幅寸法は、底板部１９５の辺部分では狭く、底板部１９５の角部分では広くなっている。
【００２７】
また、ヨーク１８の筒部１８６（側板部１８１、１８２、１８３、１８４）は、板状部１９１、１９２、１９３、１９４の外面に重なる形状に形成されており、板状部１９１、１９２、１９３、１９４の外面は、ヨーク１８の筒部１８６（側板部１８１、１８２、１８３、１８４）の内面に沿って延在する壁部１９１ｂ、１９２ｂ、１９３ｂ、１９４ｂになっている。このため、板状部１９１、１９２、１９３、１９４の外面（壁部１９１ｂ、１９２ｂ、１９３ｂ、１９４ｂ）は、ヨーク１８の筒部１８６（側板部１８１、１８２、１８３、１８４）の内面に狭い隙間を介して重なっている。従って、ヨーク１８の筒部１８６（側板部１８１、１８２、１８３、１８４）とベース１９の壁部１９１ｂ、１９２ｂ、１９３ｂ、１９４ｂとを溶着あるいは接着によって接合すれば、ベース１９とヨーク１８とを固定することができる。本形態では、後述するように、ヨーク１８の筒部１８６の内面とベース１９の壁部１９１ｂ、１９２ｂ、１９３ｂ、１９４ｂとを接着することにより、ベース１９とヨーク１８とを固定する。
【００２８】
ここで、底板部１９５の光軸方向前側の面において、角部分には、板状部１９１、１９２、１９３、１９４より内側に小さな凸部１９６が形成されており、かかる凸部１９６が形成されている領域は、後述する第１バネ部材６１の支持体側連結部６１１をベース１９に固定するのに利用される。また、底板部１９５のＹ方向の一方側Ｙ１の側面には２つの凹部１９５ｅ、１９５ｆが形成されており、かかる凹部１９５ｅ、１９５ｆは、端子１４ａ、１４ｂを設けるのに利用される。
【００２９】
また、底板部１９５の光軸方向前側の面において、外縁寄りの位置には複数の凸状ストッパ１９８が形成されており、かかる凸状ストッパ１９８は、移動体３が光軸方向後側に移動した際に移動体３が当接するストッパ部として利用される。なお、凸状ストッパ１９８が形成されている位置では、板状部１９１、１９２、１９３、１９４の光軸方向前側の端部が切り欠かれており、移動体３が光軸方向後側に移動した際、移動体３や第１バネ部材６１が板状部１９１、１９２、１９３、１９４と干渉しないようになっている。但し、凸状ストッパ１９８が形成されている位置では、板状部１９１、１９２、１９３、１９４の光軸方向前側の端部が切り欠かれているが、壁部１９１ｂ、１９２ｂ、１９３ｂ、１９４ｂは、筒部１８６の内面に沿って全周にわたって形成されている。
【００３０】
（移動体３の構成）
図１、図２よび図３に示すように、移動体３は、内側にレンズホルダ３７を介してレンズ４や絞り等を保持するスリーブ３０を有しており、スリーブ３０は、レンズ４等を保持する円筒部３１と、円筒部３１の光軸方向後側の端部から外側に広がるフランジ部３３とを備えている。本形態において、フランジ部３３は四角形である。フランジ部３３の光軸方向前側の面には、後述するコイル５１を保持するコイル保持面３４が形成されており、かかるコイル保持面３４は、光軸方向に直交する平坦面として略全周にわたって形成されている。また、フランジ部３３の光軸方向前側の面において、フランジ部３３の角部に相当する部分には、コイル保持面３４よりも光軸方向前側に位置する台形形状の段部が形成されており、かかる段部は、移動体３が光軸方向前側に移動した際に、後述する磁石部５５が当接するストッパ部３５として利用される。
【００３１】
また、スリーブ３０において、フランジ部３３の４つの辺に相当する各々の部分には、フランジ部３３と円筒部３１とに跨るようにコイル受け部３６が形成されている。本形態において、コイル受け部３６は、コイル５１の内面を受ける受け面として利用される。その際、コイル受け部３６の光軸方向前側には、コイル５１と円筒部３１との間に隙間が発生するので、かかる隙間を利用して、コイル５１はスリーブ３０に接着固定される。
【００３２】
このような構成のスリーブ３０に対してコイル５１を搭載するにあたって、コイル５１は、光軸方向の幅寸法が光軸方向に直交する方向の厚さ寸法に比して大の筒状コイルとして構成されている。本形態において、コイル５１は四角筒形状を有しており、光軸方向からみたとき、コイル５１は正方形である。かかるコイル５１は、フランジ部３３の外側端部より僅かに内側位置に配置される。
【００３３】
ここで、フランジ部３３の角部分には、コイル５１の内周面、フランジ部３３の光軸方向前側の面、および円筒部３１の外周面によって、光軸方向前側に向けて開口する凹部３９が形成されている。かかる凹部３９は、以下に説明する磁石部５５が位置する部分として利用される。
【００３４】
（磁気駆動機構５の構成）
本形態では、移動体３とヨーク１８との間に磁気駆動機構５が構成されている。より具体的には、移動体３とヨーク１８との間において、移動体３側に保持されたコイル５１と、支持体２側に保持された磁石部５５とによって、移動体３を光軸方向に駆動する磁気駆動機構５が構成されている。本形態において、磁石部５５は、ヨーク１８の前板部１８５の光軸方向後側の面において、筒部１８６から内側へ所定の寸法隔てた位置に設けられている。磁石部５５は、ヨーク１８の前板部１８５の光軸方向後側の面において、筒部１８６から所定の寸法隔てた位置に固着された永久磁石５６と、永久磁石５６の光軸方向後側の面に固着された磁性板５７とからなる。磁石部５５は、ヨーク１８の４つの角部分の各々に配置されており、ヨーク１８の角部分の形状に対応する三角柱形状を有している。より具体的には、磁石部５５は、三角柱状の永久磁石５６と、永久磁石５６の底部と重なる三角形の磁性板５７とから構成されており、永久磁石５６および磁性板５７は、光軸方向からみたとき、略直角二等辺三角形になっている。ここで、永久磁石５６は、上端面の磁極と下端面の磁極とが異なるように光軸方向で２極に着磁されている。例えば、永久磁石５６の光軸方向前側端部がＳ極であり、光軸方向後側端部はＮ極である。
【００３５】
かかる磁石部５５は、ヨーク１８の前板部１８５の光軸方向後側の面から光軸方向後側に突出し、磁石部５５の光軸方向後側端部は、移動体３においてスリーブ３０のフランジ部３３の角部分に構成された凹部３９の内側に位置している。このため、磁石部５５の光軸方向後側端部は、略直角二等辺三角形において直交する２辺に相当する面が各々、コイル５１の内周面と対向している。従って、磁石部５５において磁性板５７と、ヨーク１８の筒部１８６との間に生成された磁界は、コイル５１に鎖交することになる。それ故、コイル５１に通電すると、移動体３は光軸方向への推力を受けることになる。ここで、磁石部５５の光軸方向後側端部とフランジ部３３のストッパ部３５との間に形成される隙間は、磁石部５５の光軸方向後側端部とフランジ部３３のコイル保持面３４との間に形成される隙間よりも、光軸方向における寸法が狭くなっている。すなわち、ストッパ部３５は、コイル保持面３４よりも光軸方向前側に位置する。また、磁石部５５は、光軸Ｌ方向からみたとき、フランジ部３３のストッパ部３５と重なっている。従って、移動体３が光軸方向前側に移動した際、磁石部５５の光軸方向後側端部とフランジ部３３のストッパ部３５とが当接し、移動体３の光軸方向前側への可動範囲が制限される。
【００３６】
（バネ部材の構成）
図２および図３に示すように、移動体３は、第１バネ部材６１および第２バネ部材６２によって、光軸Ｌ方向に移動可能に支持体２に支持されている。第１バネ部材６１および第２バネ部材６２は、例えば、ベリリウム銅等からなる金属製の薄板から形成された板バネ状のジンバルバネである。
【００３７】
第１バネ部材６１は、ベース１９の４つの角部分に連結される４つの支持体側連結部６１１と、スリーブ３０の後側端縁に連結される移動体側連結部６１２と、支持体側連結部６１１と移動体側連結部６１２とを接続する４本のアーム部６１３とを備えている。本形態において、移動体側連結部６１２には、計６つの穴６１２ａが形成されており、かかる穴６１２ａにスリーブ３０の光軸方向後側の端部に形成された凸部（図示せず）が嵌る。また、４つの支持体側連結部６１１には穴６１１ａが各々形成されており、かかる穴６１１ａにベース１９の光軸方向前側の端面に形成された凸部１９６が嵌る。
【００３８】
第２バネ部材６２は、ヨーク１８の前板部１８５の光軸方向前側の面に連結される枠状の支持体側連結部６２１と、スリーブ３０の光軸方向前側端部に連結される円環状の移動体側連結部６２２と、支持体側連結部６２１と移動体側連結部６２２とを接続する４本のアーム部６２３とを備えている。
【００３９】
かかる第１バネ部材６１および第２バネ部材６２は、移動体３を光軸方向に変位可能に支持するとともに、移動体３の光軸周りの回転を阻止する機能を担っている。なお、本形態では、第２バネ部材６２の支持体側連結部６２１とヨーク１８の前板部１８５とを連結するにあたっては溶接を利用する。その際、支持体側連結部６２１が損傷しないように、第２バネ部材６２の支持体側連結部６２１には、光軸方向前側に枠状のフレーム１１が接合されており、かかるフレーム１１によって、第２バネ部材６２の支持体側連結部６２１が補強されている。
【００４０】
本形態において、第２バネ部材６２は、全体が一体として形成されている。これに対して、第１バネ部材６１は、電気的に分離された２枚のバネ片からなり、コイル５１の端部がハンダ等により電気的に接続されている。また、第１バネ部材６１を構成するバネ片は、端子１４ａ、１４ｂに導通している。従って、端子１４ａ、１４ｂに給電すれば、コイル５１に給電することができる。
【００４１】
（動作）
本形態のレンズ駆動装置１において、まず、磁気駆動機構５が停止している待機期間中、第１バネ部材６１および第２バネ部材６２の付勢力によって、移動体３は、光軸方向後側に位置し、スリーブ３０がベース１９に弾性をもって当接している状態にある。
【００４２】
このような状態において、磁気駆動機構５のコイル５１に所定方向の電流を流すと、コイル５１は、光軸方向前側の電磁力を受けることになる。これにより、コイル５１が固着されたスリーブ３０（移動体３）は、光軸方向前側に移動し始めることになる。このとき、第１バネ部材６１とスリーブ３０の後側端部との間、および第２バネ部材６２とスリーブ３０の前側端部との間には、それぞれスリーブ３０の移動を規制する弾性力が発生する。このため、スリーブ３０を光軸方向前側に移動させようとする電磁力と、スリーブ３０の移動を規制する弾性力とが釣り合ったとき、スリーブ３０は停止する。その際、コイル５１に流す電流量と、第１バネ部材６１および第２バネ部材６２によってスリーブ３０に働く弾性力とを調整することで、スリーブ３０（移動体３）を所望の位置に停止させることができる。
【００４３】
（ベース１９の突起の構成）
図５は、本発明を適用したレンズ駆動装置のベースに形成した突起の説明図であり、図５（ａ）、（ｂ）は、突起をヨーク側とは反対側からみたときの説明図、および突起をヨーク側からみたときの説明図である。
【００４４】
本形態のレンズ駆動装置１をカメラ付き携帯電話機やデジタルカメラ等の機器に搭載するにあたって、機器側にソケット状の穴を設けておき、穴にレンズ駆動装置１を光軸方向後側から装着する。このため、図４および図５に示すように、ベース１９には、ヨーク１８の筒部１８６より外側に突き出て筒部１８６の外面に沿って光軸方向前側（Ｚ方向の他方側Ｚ２）に延在した棒状の突起１５が形成されており、かかる突起１５は、レンズ駆動装置１を機器に装着する際の向きや位置を規制するガイドとして機能する。
【００４５】
本形態において、ベース１９は、突起１５も含めて一体の樹脂成形品からなり、突起１５は、底板部１９５においてＸ方向の他方側Ｘ２に位置する側面に形成されている。ここで、突起１５の筒部１８６の外面（側板部１８１の外面）と対向する部分は、筒部１８６の外面と突起１５との間隔を光軸方向後側より光軸方向前側で広くする形状を有しており、図３（ａ）および図４（ａ）に示すように、筒部１８６から突起１５が突出している部分では、筒部１８６の光軸方向後側の縁とベース１９との間には封止材７が設けられている。
【００４６】
図３、図４および図５に示すように、本形態では、突起１５の筒部１８６の外面と対向する部分には、光軸方向前側に向いたテーパ面１５２ａが形成されており、かかるテーパ面１５２ａによって、筒部１８６の外面と突起１５との間隔は、光軸方向後側より光軸方向前側で広くなっている。より具体的には、突起１５は、ベース１９から光軸方向に直交する方向に延在して筒部１８６より外側に突き出た胴部１５１と、胴部１５１の外端から筒部１８６の外面に沿って光軸方向前側に延在する頭部１５２とを備えており、頭部１５２の筒部１８６の外面と対向する部分にテーパ面１５２ａが形成されている。本形態では、胴部１５１の光軸方向前側に向く面１５１ａは、胴部１５１の突出方向（Ｘ方向）および光軸方向（Ｚ方向）に直交する幅方向（Ｙ方向）の両側が円弧面またはテーパ面になっている。
【００４７】
かかる突起１５を外側に突出させるにあたって、筒部１８６の光軸方向後側の縁には、突起１５が突出する切り欠き１８１ａが形成されている。ここで、切り欠き１８１ａの形状は、突起１５において切り欠き１８１ａ内に位置する部分（胴部１５１）の形状と同一または略同一であり、Ｙ方向の両側が円弧状または斜めになっている。また、切り欠き１８１ａは、突起１５よりわずかに大きく形成されており、切り欠き１８１ａの内縁は、突起１５の胴部１５１から離間して延在している。このため、切り欠き１８１ａの内縁は、突起１５の胴部１５１には当接していない。従って、切り欠き１８１ａや胴部１５１に寸法ばらつきが発生した場合でも、ヨーク１８の光軸方向後側の縁は、ベース１９の段部１９１ａ、１９２ａ、１９３ａ、１９４ａに確実に当接することになる。
【００４８】
また、ベース１９の光軸方向前側の面には、筒部１８６を間に挟んで突起１５と対向する壁部１９１ｂ（板状部１９１）が形成されており、かかる壁部１９１ｂ（板状部１９１）の光軸方向前側の端部は、突起１５の光軸方向前側の端部と光軸方向で同一の位置または前側に位置している。このため、切り欠き１８１ａからは移動体３が露出していない。
【００４９】
（埃等の異物の侵入対策）
図６は、本発明を適用したレンズ駆動装置の製造工程で封止材を塗布する様子の説明図であり、図６（ａ）、（ｂ）は、塗布する様子の斜視図、および側面図である。
【００５０】
本形態のレンズ駆動装置１において、ヨーク１８とベース１９との隙間から埃等の異物が侵入して、ベース１９に保持された撮像素子やＩＲフィルタに付着すると、撮像した画像の品位が低下する。そこで、本形態では、まず、レンズ駆動装置１の製造工程のうち、ヨーク１８とベース１９とを連結する工程では、図４（ｂ）、（ｄ）に示すように、ベース１９の壁部１９１ｂ、１９２ｂ、１９３ｂ、１９４ｂの複数個所に接着剤７０を塗布した後、ベース１９にヨーク１８を被せる。その結果、接着剤７０は、壁部１９１ｂ、１９２ｂ、１９３ｂ、１９４ｂとヨーク１８の筒部１８６（側板部１８１、１８２、１８３、１８４）の内面との間で広がる。従って、接着剤７０を硬化させると、壁部１９１ｂ、１９２ｂ、１９３ｂ、１９４ｂとヨーク１８の筒部１８６（側板部１８１、１８２、１８３、１８４）の内面との隙間は、接着剤７０によって封止される。
【００５１】
その際、突起１５が形成されている部分では、突起１５が邪魔になって、壁部１９１ｂに接着剤７０を適正に塗布できず、壁部１９１ｂと筒部１８６（側板部１８１）との間が接着剤７０によって封止されないことがある。
【００５２】
そこで、本形態では、図６に示すように、例えば、レンズ駆動装置１を組み立てた後、筒部１８６（側板部１８１）の外面と突起１５とに挟まれた個所にニードル８の先端部を差し込み、ニードル８の先端部から封止材７を吐出して、切り欠き１８１ａの内縁とベース１９との間に封止材７を塗布し、その後、封止材７を硬化させる。その際、切り欠き１８１ａの内縁とベース１９の壁部１９１ｂとの間に封止材７を塗布してもよいが、本形態では、切り欠き１８１ａが突起１５の胴部１５１よりわずかに大きいだけであり、切り欠き１８１ａからベース１９の壁部１９１ｂが露出していない。従って、本形態では、切り欠き１８１ａの内縁と突起１５の胴部１５１との間に対して、切り欠き１８１ａの内縁に沿うように封止材７を塗布する。従って、封止材７は、筒部１８６の光軸方向後側の縁（切り欠き１８１ａの内縁）と突起１５の胴部１５１の双方に跨って設けられ、ヨーク１８と突起１５との隙間は、封止材７によって封止される。それ故、ヨーク１８とベース１９との隙間から埃等の異物が侵入して、ベース１９に保持された撮像素子やＩＲフィルタに付着するという事態を回避することができる。
【００５３】
（本形態の主な効果）
以上説明したように、本形態のレンズ駆動装置１において、ベース１９は、ヨーク１８（ケース）の筒部１８６より外側に突き出て筒部１８６の外面に沿って光軸方向前側に延在した突起１５を備えている。このため、レンズ駆動装置１をカメラ付き携帯電話機やデジタルカメラ等の機器に搭載するにあたって、機器側にソケット状の穴を設けておき、穴にレンズ駆動装置１を装着する際、突起１５をレンズ駆動装置１の向きや位置を規制するガイドとして利用することができる。
【００５４】
ここで、突起１５の筒部１８６の外面と対向する部分は、筒部１８６の外面と突起１５との間隔を光軸方向後側より光軸方向前側で広くする形状を有している。このため、突起１５を設けた場合でも、筒部１８６の外面と突起１５との間隔が光軸方向前側で広いので、筒部１８６の外面と突起１５との間にニードル８を差し込んで、筒部１８６の光軸方向後側の縁（切り欠き１８１ａの内縁）とベース１９の突起１５との間に封止材７を容易かつ確実に塗布することができる。
【００５５】
また、本形態では、突起１５に対するテーパ面１５２ａの形成によって筒部１８６の外面と突起１５との間隔を光軸方向後側より光軸方向前側で広くしている。このため、突起１５の根元部分では突起１５が太い。従って、突起１５の強度が低下することがない。それ故、機器側に設けたソケット状の穴にレンズ駆動装置１を装着する際に突起１５を向きや位置を規制するガイドとして用いても、突起１５が破損することがない。
【００５６】
また、突起１５において胴部１５１の光軸方向前側に向く面１５１ａは、幅方向の両側が円弧面またはテーパ面になっているため、角がない。従って、塗布した封止材７が面１５１ａに沿って流動しやすいので、筒部１８６の光軸方向後側の縁（切り欠き１８１ａの内縁）とベース１９の突起１５との間に対して、切り欠き１８１ａの内縁に沿うように、封止材７を容易かつ確実に塗布することができる。
【００５７】
また、ヨーク１８の筒部１８６の光軸方向後側の縁には、突起１５が突出する切り欠き１８１ａが形成されているため、切り欠き１８１ａが形成されている以外の領域では、筒部１８６の光軸方向後側の端部とベース１９とが重なる。しかも、切り欠き１８１ａの内縁は、突起１５の胴部１５１から離間して延在しており、切り欠き１８１ａの内縁は、突起１５の胴部１５１には当接していない。従って、切り欠き１８１ａや胴部１５１に寸法ばらつきが発生した場合でも、ヨーク１８の光軸方向後側の縁は、ベース１９の段部１９１ａ、１９２ａ、１９３ａ、１９４ａに確実に当接することになる。それ故、ベース１９にヨーク１８を固定する際、ベース１９とヨーク１８とを接着剤７０で固定することができるとともに、かかる接着剤７０によって、ベース１９とヨーク１８と隙間を封止することができる。
【００５８】
また、切り欠き１８１ａの形状は、突起１５において切り欠き１８１ａ内に位置する部分の形状と同一または略同一であるため、切り欠き１８１ａと突起１５との間の隙間が狭い。それ故、封止材７によって封止する必要のある領域が狭く済む。
【００５９】
また、ベース１９の光軸方向前側の面には、筒部１８６を間に挟んで突起１５と対向する壁部１９１ｂ（板状部１９１）が形成されており、かかる壁部１９１ｂ（板状部１９１）の光軸方向前側の端部は、突起１５の光軸方向前側の端部と光軸方向で同一の位置または前側に位置している。このため、切り欠き１８１ａからは移動体３が露出していないので、封止材７が移動体３に付着しない等の利点がある。また、壁部１９１ｂ、１９２ｂ、１９３ｂ、１９４ｂは、筒部１８６の内面に沿って全周または略全周にわたって形成されている。このため、ベース１９にヨーク１８を固定する際、ベース１９とヨーク１８とを接着剤７０で固定することができるとともに、かかる接着剤７０によって、ベース１９とヨーク１８との隙間を封止することができる。
【００６０】
また、ベース１９は、突起１５を含めて一体の樹脂成形品からなる。従って、突起１５を任意の形状に形成することができるとともに、突起１５を備えたベース１９を安価に製造することができる。
【００６１】
（他の実施の形態）
上記実施の形態では、ヨーク１８等が角筒形状であったが、ヨーク１８が円筒形状であるレンズ駆動装置１に本発明を適用してもよい。また、上記実施の形態では、ヨーク１８がケースとして機能していたが、移動体３が非磁性のケースで覆われている場合に本発明を適用してもよい。上記実施の形態では、切り欠き１８１ａの内縁と突起１５の胴部１５１との間に封止材７を塗布したが、切り欠き１８１ａの内縁とヨーク１８の壁部１９１ｂ（ベース１９のうち、突起１５が形成されていない部分）との間に封止材７を塗布してもよい。
【符号の説明】
【００６２】
１・・レンズ駆動装置
２・・支持体
３・・移動体
４・・レンズ
５・・磁気駆動機構
７・・封止材
１５・・突起
１８・・ヨーク（ケース）
１９・・ベース
３０・・スリーブ
６１・・第１バネ部材
６２・・第２バネ部材
５１・・コイル
５５・・磁石部
７０・・接着剤
１５１・・胴部
１５２・・頭部
１５２ａ・・テーパ面
１８１ａ・・切り欠き
１８６・・筒部
１９１ｂ、１９２ｂ、１９３ｂ、１９４ｂ・・壁部
【図１】
0005908332.tif 000002
【図２】
0005908332.tif 000003
【図３】
0005908332.tif 000004
【図４】
0005908332.tif 000005
【図５】
0005908332.tif 000006
【図６】
0005908332.tif 000007